(57)【要約】【課題】  水泳用ゴーグル着用時の調整が迅速に行なえる水泳用ゴーグルの提供。【解決手段】  左右のレンズを収容する左右のリム、左右のリムの間に設けられた連接装置、左右のリムの外側に組付けられたヘッドバンドを具え、左右のレンズの外側縁に組付シートが設けられ、該組付シートに調整装置が固定され、該調整装置は相互に一体に組付けられてヘッドバンドを通して固定するのに用いられるベースとカバー、及び該ベースと該カバーの間に組付けられててこ方式で枢設されたボタンと係止アーム、及び組付シートに設置されてボタンの回復力を提供するアーチ形弾性片を具え、該係止アームはヘッドバンドの係止溝を単一方向に係止し、使用者がヘッドバンドを直接引っ張り緊緩を調整でき、或いはボタンを押して係止アームの係止解除し、ヘッドバンドの調整を行なうことができるものとされている。【選択図】        図１
0003106084.tif 000002
【実用新案登録請求の範囲】
【請求項１】
水泳用ゴーグルにおいて、該水泳用ゴーグルは左右のリムと、調整装置とを具え、
該左右のリムは、連接装置により一体に接続され、各リムは外表面と内表面を具え、該外表面と内表面の間に収容溝が設けられてレンズを収容し、左右のリムの外側縁より組付シートが延伸され、該組付シートに第１係合部と第２係合部が設けられ、且つ側縁よりアーチ形弾性片が延伸され、
該調整装置はベースと固定支持軸とカバーを具え、
該ベースは対向するよう設置された両側面を具え、且つ両側面に対向する枢設孔が設けられ、ヘッドバンド穿孔が該枢設孔の傍らに設けられてヘッドバンドの通過に供され、該ベースに該第１係合部に対応しそれと嵌合する嵌合体が設けられ、
該固定支持軸は該ベースの枢設孔に枢設され、そのヘッドバンド穿孔に近い一側に係止アームが設けられ、係止アームと反対の一側にボタンが設けられ、
該カバーは該ベースに組付けられ、該ボタンに対応する穿孔と、第２係合部に対応する係止体が設けられ、
使用者が水泳用ゴーグルを取り外す必要なく直接ヘッドバンドを引っ張って緊緩の調整が行なえ、或いはボタンを押して係止アームに係止解除させてヘッドバンドの長さ調整を行なうことができることを特徴とする、水泳用ゴーグル。
【請求項２】
請求項１記載の水泳用ゴーグルにおいて、組付シートのサイズがリムの外側縁より小さく、階段状を形成し、ベースとカバーを組付け後にリムの外側縁と揃えられることを特徴とする、水泳用ゴーグル。
【請求項３】
請求項２記載の水泳用ゴーグルにおいて、アーチ形弾性片が二つの短辺と二つの短辺間の長辺を具え、二つの短辺は組付シートの側縁に一体に形成され、該長辺は二つの短辺の端縁に跨設されたことを特徴とする、水泳用ゴーグル。
【請求項４】
請求項３記載の水泳用ゴーグルにおいて、第１係合部が組付シートとリムの外側縁の接続部分の両側にそれぞれ形成されたＬ形切欠きとされ、嵌合体はベースに対応して形成された二つのＬ形係止辺とされ、Ｌ形係止辺とＬ形切欠きが嵌合され一体とされることを特徴とする、水泳用ゴーグル。
【請求項５】
請求項４記載の水泳用ゴーグルにおいて、第２係合部が第１係合部に対応する一側に設けられた二つの位置決め溝とされ、カバーの係止体は係止柱とされ、該位置決め溝と係止柱が嵌合され一体とされることを特徴とする、水泳用ゴーグル。
【請求項６】
請求項５記載の水泳用ゴーグルにおいて、二つのＬ形係止辺の間のベースに補強柱が設けられ、これに対応して組付シートに連接孔が設けられ、補強柱と連接孔が組み合わされてベースとカバー組合せ後の受力強度が強化されたことを特徴とする、水泳用ゴーグル。
【請求項７】
請求項６記載の水泳用ゴーグルにおいて、ベースとカバーの組合せは、ベースの底部の両側に設けられた係止溝に、カバーにあって該係止溝に対応する部分に設けられた結合柱が組み合わされることで達成されることを特徴とする、水泳用ゴーグル。
【請求項８】
請求項７記載の水泳用ゴーグルにおいて、ボタンが手部による押圧操作に供される傾斜表面を具えたことを特徴とする、水泳用ゴーグル。
【請求項９】
請求項８記載の水泳用ゴーグルにおいて、固定支持軸からボタンの傾斜表面上端までの距離が、固定支持軸から係止アーム末端までの距離より大きく、これにより楽にボタンを押圧して係止アームに対応する運動を形成させることができることを特徴とする、水泳用ゴーグル。
【請求項１０】
請求項９記載の水泳用ゴーグルにおいて、連接装置がブリッジとされて左右のリムと一体に形成されたことを特徴とする、水泳用ゴーグル。
【請求項１１】
請求項１０記載の水泳用ゴーグルにおいて、左右のリム、ブリッジが軟質材料で形成され、左右のリムの内表面に保護パッドが形成されたことを特徴とする、水泳用ゴーグル。
【考案の詳細な説明】
【技術分野】
【０００１】
本考案は一種の水泳用ゴーグルに係り、特に水泳用ゴーグルを取り外さなくとも水泳用ゴーグルのヘッドバンドに対する調整が迅速に行なえ、着用使用に更に便利とされた水泳用ゴーグルに関する。
【背景技術】
【０００２】
水泳用ゴーグルの構造は、左リム、右リム、ブリッジ、及びヘッドバンド装置を具え、該ヘッドバンド装置はヘッドバンドと該ヘッドバンドの長さ調整用の調整バックルを具えている。周知のとおり、周知の水泳用ゴーグルを頭上で調整するためには、水泳用ゴーグルを取り外してヘッドバンドの長さを調整しなければならず、調整過程でヘッドバンドが真に頭部の長さに符合するかを知る事ができないため、何度も着脱して調整を行なわねばならず、操作が面倒で不便であり、且つ理想の状態に調整するのが難しい。
【考案の開示】
【考案が解決しようとする課題】
【０００３】
本考案の主要な目的は、ヘッドバンド調整時に水泳用ゴーグルを頭部より取り外す必要がなく、非常に迅速にヘッドバンドの緊緩調整が行なえ、且つヘッドバンドに一回調整、位置決めするか或いは微調整するだけでよく、調整に便利で、着用者の実際の要求に符合する調整が行なえる水泳用ゴーグルを提供することにある。
【課題を解決するための手段】
【０００４】
請求項１の考案は、水泳用ゴーグルにおいて、該水泳用ゴーグルは左右のリムと、調整装置とを具え、
該左右のリムは、連接装置により一体に接続され、各リムは外表面と内表面を具え、該外表面と内表面の間に収容溝が設けられてレンズを収容し、左右のリムの外側縁より組付シートが延伸され、該組付シートに第１係合部と第２係合部が設けられ、且つ側縁よりアーチ形弾性片が延伸され、
該調整装置はベースと固定支持軸とカバーを具え、
該ベースは対向するよう設置された両側面を具え、且つ両側面に対向する枢設孔が設けられ、ヘッドバンド穿孔が該枢設孔の傍らに設けられてヘッドバンドの通過に供され、該ベースに該第１係合部に対応しそれと嵌合する嵌合体が設けられ、
該固定支持軸は該ベースの枢設孔に枢設され、そのヘッドバンド穿孔に近い一側に係止アームが設けられ、係止アームと反対の一側にボタンが設けられ、
該カバーは該ベースに組付けられ、該ボタンに対応する穿孔と、第２係合部に対応する係止体が設けられ、
使用者が水泳用ゴーグルを取り外す必要なく直接ヘッドバンドを引っ張って緊緩の調整が行なえ、或いはボタンを押して係止アームに係止解除させてヘッドバンドの長さ調整を行なうことができることを特徴とする、水泳用ゴーグルとしている。
請求項２の考案は、請求項１記載の水泳用ゴーグルにおいて、組付シートのサイズがリムの外側縁より小さく、階段状を形成し、ベースとカバーを組付け後にリムの外側縁と揃えられることを特徴とする、水泳用ゴーグルとしている。
請求項３の考案は、請求項２記載の水泳用ゴーグルにおいて、アーチ形弾性片が二つの短辺と二つの短辺間の長辺を具え、二つの短辺は組付シートの側縁に一体に形成され、該長辺は二つの短辺の端縁に跨設されたことを特徴とする、水泳用ゴーグルとしている。
請求項４の考案は、請求項３記載の水泳用ゴーグルにおいて、第１係合部が組付シートとリムの外側縁の接続部分の両側にそれぞれ形成されたＬ形切欠きとされ、嵌合体はベースに対応して形成された二つのＬ形係止辺とされ、Ｌ形係止辺とＬ形切欠きが嵌合され一体とされることを特徴とする、水泳用ゴーグルとしている。
請求項５の考案は、請求項４記載の水泳用ゴーグルにおいて、第２係合部が第１係合部に対応する一側に設けられた二つの位置決め溝とされ、カバーの係止体は係止柱とされ、該位置決め溝と係止柱が嵌合され一体とされることを特徴とする、水泳用ゴーグルとしている。
請求項６の考案は、請求項５記載の水泳用ゴーグルにおいて、二つのＬ形係止辺の間のベースに補強柱が設けられ、これに対応して組付シートに連接孔が設けられ、補強柱と連接孔が組み合わされてベースとカバー組合せ後の受力強度が強化されたことを特徴とする、水泳用ゴーグルとしている。
請求項７の考案は、請求項６記載の水泳用ゴーグルにおいて、ベースとカバーの組合せは、ベースの底部の両側に設けられた係止溝に、カバーにあって該係止溝に対応する部分に設けられた結合柱が組み合わされることで達成されることを特徴とする、水泳用ゴーグルとしている。
請求項８の考案は、請求項７記載の水泳用ゴーグルにおいて、ボタンが手部による押圧操作に供される傾斜表面を具えたことを特徴とする、水泳用ゴーグルとしている。
請求項９の考案は、請求項８記載の水泳用ゴーグルにおいて、固定支持軸からボタンの傾斜表面上端までの距離が、固定支持軸から係止アーム末端までの距離より大きく、これにより楽にボタンを押圧して係止アームに対応する運動を形成させることができることを特徴とする、水泳用ゴーグルとしている。
請求項１０の考案は、請求項９記載の水泳用ゴーグルにおいて、連接装置がブリッジとされて左右のリムと一体に形成されたことを特徴とする、水泳用ゴーグルとしている。
請求項１１の考案は、請求項１０記載の水泳用ゴーグルにおいて、左右のリム、ブリッジが軟質材料で形成され、左右のリムの内表面に保護パッドが形成されたことを特徴とする、水泳用ゴーグルとしている。
【考案の効果】
【０００５】
本考案の水泳用ゴーグルは、ヘッドバンド調整時に水泳用ゴーグルを頭部より取り外す必要がなく、非常に迅速にヘッドバンドの緊緩調整が行なえ、且つヘッドバンドに一回調整、位置決めするか或いは微調整するだけでよく、調整に便利で、着用者の実際の要求に符合する調整が行なえる。
【考案を実施するための最良の形態】
【０００６】
本考案によると、水泳用ゴーグルのリムの外側縁には組付シートが設けられ、且つ組付シートに調整装置が固定され、該調整装置は、相互に一体に組付けられてヘッドバンドを通して固定するのに用いられるベースとカバー、及び該ベースと該カバーの間に組付けられて、てこ方式で枢設されたボタンと係止アーム、及び組付シートに設置されてボタンの回復力を提供するアーチ形弾性片を具え、該係止アームはヘッドバンドの係止溝を単一方向に係止し、使用者がヘッドバンドを直接引っ張り緊緩を調整でき、或いはボタンを押して係止アームの係止解除し、ヘッドバンドの調整を行なうことができるものとされている。該アーチ形弾性片はボタンの下方に位置し、ボタンが押し下げられる時、アーチ形弾性片が圧迫され変形してエネルギーを保存し、一旦ボタンに対する押圧が解除されると、アーチ形弾性片がその保存したエネルギーによりボタンをもとの位置に回復させる。
【実施例１】
【０００７】
図１を参照されたい。水泳用ゴーグル１は、軟質材料を一体成形してなる左リム２、右リム３、連接装置５（即ちブリッジ）、保護パッド７、調整装置４、及びヘッドバンド（図１には未表示である。図４、５に符号８を以て示され、それには複数の係止溝８０が設けられている。）を具え、該左リム２、右リム３はそれぞれ外表面２０、３０と内表面２１、３１を具えている。外表面２０、３０と内表面２１、３１の間に収容溝２２、３２が設けられてレンズ９を収容し、該レンズ９は左リム２、右リム３成形時に併せて成形される。左リム２、右リム３の外側縁よりそれぞれサイズが小さい組付シート２３（図面には僅かに左リムしか示されていないが、右リムの組付シートの構造はそれと同じである）が延伸され、左リム２、右リム３の外側縁と階段状を形成している。且つ組付シート２３に第１係合部と第２係合部が設けられ、該第１係合部は組付シート２３の外側辺縁とＬ形切欠き２４を形成している。第２係合部は組付シート２３と左リム２、右リム３の外側縁の接続部分に二つの位置決め溝２５を具えている。また、組付シート２３の側縁に沿ってアーチ形弾性片２６が設けられ、それは二つの短辺２６１と二つの短辺２６１の間の長辺２６２を具え、そのうち二つの短辺２６１は組付シート２３の側縁に一体に形成され、該長辺２６２は二つの短辺２６１の端縁に跨設され、かつ隆起してアーチ形を呈し、これにより変形弾性を提供できるものとされる。
【０００８】
該調整装置４は左リム２、右リム３の組付シート２３に組付けられ、それは、ベース４０、固定支持軸４１、及びカバー４２を具えている。該ベース４０は対向するよう設置された両側面４０１、４０２を具え、且つ両側面４０１、４０２に相互に対応する枢設孔４０３が設けられて固定支持軸４１が枢設される。またヘッドバンドを通して掛けるためのヘッドバンド穿孔４０４が設けられている。更に該ベース４０にＬ形係止辺４０５が設けられ、それは組付シート２３のＬ形切欠き２４に対応しそれと係合する。また、補強柱４０６が二つのＬ形係止辺４０５の間のベース４０上に設けられ、組付シート２３に設けられた連接孔２７に対応し、これにより調整装置４のベース４０が組付シート２３に組付けられ、ベース４０とカバー４２の組合せ後の受力強度が強化される。
【０００９】
該固定支持軸４１は、ベース４０の枢設孔４０３に枢設され、その一側に係止アーム４１０が設けられてヘッドバンド８の係止溝８０を係止するのに用いられる（図４）。係止アーム４１０と反対の一側にボタン４１１が設けられ、該ボタン４１１は傾斜表面を具えて手部による押圧操作に供される。注意すべきは、図５に示されるように、該ボタン４１１と該係止アーム４１０はてこ式に枢設され、且つ該固定支持軸４１よりボタン４１１の傾斜表面上端までの距離Ｔ１は固定支持軸４１から係止アーム４１０末端までの距離Ｔ２より大きく、これにより、該固定支持軸４１を中心として、軽くボタン４１１を押して係止アーム４１０に対応する運動を行なわせることができることである。
【００１０】
該カバー４２はベース４０に固定され、それにボタン４１１に対応する穿孔４２０が設けられるほか、組付シート２３の二つの位置決め溝２５に対応する係止体４２１が設けられて相互に係合され一体とされる。また、ベース４０とカバー４２の組合せは、ベース４０の底部の対向する両側に設けられた係止溝４００に、カバー４２にあって該係止溝４００に対応する部分に設けられた結合柱４２２が係合されることで達成される。
【００１１】
図２、３に図１を併せて参照されたい。本考案の水泳用ゴーグル１は、レンズ９が左リム２、右リム３に一体に埋め込まれ、並びに連接装置５（即ちブリッジ）及び保護パッド７と併せて成形される。その後、該固定支持軸４１が枢設孔４０３に組付けられ、並びにボタン４１１がアーチ形弾性片の長辺２６２上方に配置され、更にＬ形係止辺４０５がＬ形切欠き２４に係合され、補強柱４０６が連接孔２７内に組付けられ、これは図２に示されるようである。最後にカバー４２がベース４０に組付けられ、係止溝８０と結合柱４２２が相互に嵌合され、図３に示されるように組立が完成する。
【００１２】
組立完成後に、図４に示されるように、ヘッドバンド８がヘッドバンド穿孔４０４に一側よりとされ、係止アーム４１０がヘッドバンド８の係止溝８０内に係合し、この時、ヘッドバンド８は単方向（即ち矢印の示す方向）のみに引っ張り可能とされ、即ち、この時、ヘッドバンド８を引っ張ってヘッドバンド８を引き絞ることができる。緊緩を調整する時は、図５に示されるように、ボタン４１１を下向きに押すと（このときアーチ形弾性片２６の長辺２６２が下に凹んでひずみを発生してエネルギーを保存する）、係止アーム４１０が上向きとされて、係止溝８０との係合を解除し、この時、ヘッドバンド８は両方向に引っ張り可能とされ（即ち矢印の指す方向）、即ち、使用者はヘッドバンド８を別の一側に向けて引っ張って調整できる。一旦ボタン４１１を離すと、ボタン４１１はアーチ形弾性片の回復作用により、もとの位置に回復し、並びに係止アーム４１０がヘッドバンド８の係止溝８０に係合する。
【００１３】
以上の本考案の特徴により、使用者は水泳用ゴーグルを頭上に装着する前に、ヘッドバンドを緩めて頭上に装着し、更にヘッドバンド８を左リム２、右リム３の両側より直接引っ張れば、一度で引き絞って位置決めでき、操作に相当に便利である。ヘッドバンド８を緩めたい時は、図５に示されるように、ボタン４１１を押し下げて、ヘッドバンド８の一辺を適度に緩め、さらにボタン４１１を開放すれば、調整が完成する。このように本考案の水泳用ゴーグルは頭上に着用後にヘッドバンドの長さに対して敏捷に緊緩の調整が行なえる。
【００１４】
総合すると本考案の水泳用ゴーグルはその目的を達成し、実用新案登録の要件を具備している。なお、以上の実施例は説明のために提示されたものであり、本考案の請求範囲を限定するものではなく、本考案に基づきなしうる細部の修飾或いは改変は、いずれも本考案の請求範囲に属するものとする。
【図面の簡単な説明】
【００１５】
【図１】本考案の水泳用ゴーグルの立体分解図である。
【図２】図１のカバーを取り付ける前の立体組合せ図である。
【図３】図２の立体組合せ図である。
【図４】図３の４−４断面図である。
【図５】図４のボタン押し下げの表示図である。
【符号の説明】
【００１６】
１  水泳用ゴーグル                      ２  左リム
３  右リム                              ４  調整装置
５  連接装置                            ７  保護パッド
８  ヘッドバンド                        ９  レンズ
２０、３０  外表面                      ２１、３１  内表面
２３  組付シート                        ２４  Ｌ形切欠き
２５  位置決め溝                        ２６  アーチ形弾性片
２６１  短辺                            ２６２  長辺
４０  ベース                            ４１  固定支持軸
４２  カバー                            ４００  係止溝
４０１、４０２  側面                    ４０３  枢設孔
４０４  ヘッドバンド穿孔                ４０５  Ｌ形係止辺
４０６  補強柱                          ４２２  結合柱
８０  係止溝
【図１】
0003106084.tif 000003
【図２】
0003106084.tif 000004
【図３】
0003106084.tif 000005
【図４】
0003106084.tif 000006
【図５】
0003106084.tif 000007